(57)【要約】【課題】複数のタイマー設定をわかりやすく表示する。【解決手段】個々に設定可能な複数のタイマー手段５ｂｂａ、５ｂｂｂと、表示手段５ｂｃとを備え、前記表示手段５ｂｃは前記複数のタイマー手段の設定状態をタイマー手段の数の同心円弧、同心楕円弧または同心多角形上に表示し、前記複数の同心円弧、同心楕円弧または同心多角形の間の表示状態を前記複数のタイマーの設定状態により変更することを特徴とし、これによって、点の密度の低い表示手段を用いた場合でもわかりやすい表示ができ、設定内容を容易に認識できる。【選択図】図９
2005315689.tif 000002
【特許請求の範囲】
【請求項１】
個々に設定可能な複数のタイマー手段と、表示手段とを備え、前記表示手段は前記複数のタイマー手段の設定状態をタイマー手段の数の同心円弧、同心楕円弧または同心多角形上に表示し、前記複数の同心円弧、同心楕円弧または同心多角形の間の表示状態を前記複数のタイマーの設定状態により変更することを特徴とするタイマー装置。
【請求項２】
設定状態により変更される表示状態は表示色または表示パターンである請求項１に記載のタイマー装置。
【請求項３】
タイマー手段の設定状態はタイマー毎に異なる表示色で表示され、各タイマー間の表示色を隣り合うタイマーの２つの表示色の中間色とする請求項２に記載のタイマー装置。
【請求項４】
タイマー手段の設定状態はタイマー毎に異なる表示パターンで表示され、各タイマー間の表示パターンを隣り合うタイマーの２つの表示パターンの中間のパターンとする請求項２に記載のタイマー装置。
【請求項５】
複数のタイマー手段のうち有効とするタイマーを選択する有効タイマー選択手段を持ち、表示手段は前記有効タイマー選択手段により選択されたタイマーと、選択されてないタイマーとを区別可能に表示するとともに、各タイマー間の表示色または表示パターンを隣り合うタイマーの２つの選択状態に応じて変更する請求項２に記載のタイマー装置。
【請求項６】
表示手段上で隣り合う二つのタイマー手段のうちの一方が選択され、他方が選択されている場合に、前記複数のタイマー手段の間の表示色または表示パターンを、選択されているタイマーの選択時の表示色または表示パターンで表示する請求項５に記載のタイマー装置。
【請求項７】
表示手段上で隣り合う二つのタイマー手段のうちの両方が選択されている場合に、前記複数のタイマー手段の間の表示色を、二つのタイマーの選択時の表示色の中間色で表示する請求項５に記載のタイマー装置。
【請求項８】
表示手段上で隣り合う二つのタイマー手段のうちの両方とも選択されてない場合に、前記複数のタイマー手段の間の表示色は、二つのタイマーの非選択時の表示色の中間色を表示する請求項５に記載のタイマー装置。
【請求項９】
表示手段上で隣り合う二つのタイマー手段のうち同心円、同心楕円、または同心多角形のうち、中心に近い側の図形の表示幅を中心から遠い側の図形の表示幅より大きくする請求項１または８に記載のタイマー装置。
【請求項１０】
請求項１〜７のいずれか１項に記載のタイマー装置の少なくとも一部をコンピュータに実現させるためのプログラムおよびその記録媒体。
【発明の詳細な説明】
【技術分野】
【０００１】
本発明は家電機器や設備機器を時刻に応じて制御させるタイマー装置に関するものである。
【背景技術】
【０００２】
従来のタイマー装置について説明する。従来のタイマー装置として温水暖房機の操作装置に用いられたタイマー装置では以下のようになっていた（例えば、特許文献１参照）。前記従来例の操作装置の外観図を図１０、液晶表示部の拡大図を図１１に示す。図１０において、３１は操作装置のケース、３２は温水暖房機の設定温度を変更する温度設定手段、３３は温水暖房機の連続運転の開始／停止を指示する運転スイッチ、３４はタイマー運転の開始／停止を指示するタイマースイッチ、３５は連続運転時に点灯する連続モード表示手段、３６はタイマー運転時に点灯するタイマーモード表示手段、３７は温水暖房機の点検モードのときに点灯する点検モード表示手段、３８はタイマーモードにおいて温水暖房機を動作させる時刻を設定する時刻設定手段、３９はタイマーの設定状態や現在時刻を表示する液晶表示部である。このうち、時刻設定手段３８は運転開始時刻を設定するための開始時刻設定部３８ａと停止時刻設定部３８ｂと現在時刻設定部３８ｃとからなり、開始時刻設定部３８ａと停止時刻設定部３８ｂはそれぞれ設定時刻を進ませる＋ボタン３８ａａ、３８ｂａと設定時刻を戻させる−ボタン３８ａｂ、３８ｂｂとからなる。現在時刻設定部３８ｃは時刻あわせボタンである。現在時刻設定は時刻の変更を開始時刻設定部３８ａを用いて行いて時刻を変更し、時刻合わせボタン３８ｃを押すことにより、開始時刻設定部３８ａにより設定された時間が現在時刻として設定される。また、液晶表示部３９は現在時刻表示部３９ａとタイマー時刻表示部３９ｂとからなっている。タイマー時刻表示部３９ｂは、温水暖房機のタイマー設定を、時刻目盛りとして円周上に０と２２までの偶数の数字と１２個の奇数を表すための点とを交互（順番）に配置した印字パターンと、この円周上に配置した印字パターンの内側に扇形の２４個の表示素子を隣り合わせて配置した表示パターンとからなる。扇形の表示素子は１素子が１時間に相当し、タイマー設定を行うと設定された切時刻の表示素子３９ｂａおよび入時刻の表示素子３９ｂｂを点灯もしくは点滅させ、また、切時刻と入り時刻の間の表示素子３９ｂｃをすべて点灯させることにより、タイマー運転開始時刻およびタイマー運転停止時刻を一目で区別させたり確認したりできる。
【０００３】
また、別の従来例では、従来のタイマー装置として温水暖房機の操作装置に用いられたタイマー装置の例を示す（例えば、特許文献２参照）。前記従来例では暖房用の放熱器に温水を供給して室内暖房を行う温水式暖房装置において、予め設定された少なくとも２つ以上の時間帯に予め設定された温水温度にて暖房運転を行うタイマー運転設定手段を備えることにより、特に終日暖房を必要とする寒冷地域にあつては、運転時間帯に応じて各々暖房温度を好適に設定した２４時間の連続運転が行えるため、従来のように暖房ＯＮ時の暖め過ぎ感や暖房ＯＦＦ時の冷え過ぎ感の無い快適暖房を維持しつつ、省エネ運転を実現できるものである。この従来例の液晶表示部３９の表示は、図１２に示すように、半径方向に４０℃から８０℃までの運転時の温水温度表示３９ｂｄ、円周方向に時間帯表示３９ｂｅを示すことにより、時間帯と温度を一目で分かるように表示できるようになっていた。
【特許文献１】特開平０９−２４３４１７５号公報
【特許文献２】特開２０００−２４０９５２号公報
【発明の開示】
【発明が解決しようとする課題】
【０００４】
しかしながら、前記従来の構成では、複数のタイマー手段を持つタイマー装置において、現在の設定状態を分かりやすく表示して、タイマー運転がどのようになされるのかを直感的に把握することが困難であるという課題があった。特開平０９―２４３４１７５号公報のタイマー装置では、タイマーは一つであり、複数のタイマーを用いて様々な設定を行う場合の分かりやすい表示方法は開示されていない。また、特開２０００―２４０９５２号公報のタイマー装置では、時間毎に温度を変更して連続運転する場合の表示方法は開示されているが、複数のタイマを分かりやすく表示したり、タイマの選択状態や現在の設定状態を表示しながらタイマーの設定時刻を変更したり、設定内容を変更したりする方法は開示されてなかった。さらに、表示手段として液晶など点の色を操作して様々な情報を表示するディバイスを使用する場合、詳細な表示を行うためには点の密度の高い高精度なディバイスを使用する必要があり、表現力とコストとの整合を図る必要があった。
【０００５】
本発明は、前記従来の課題を解決するもので、複数のタイマー設定をわかりやすく直感的に把握しやすい表示が行え、かつ、点の密度の低い表示ディバイスを用いてもわかりやすいタイマー装置を提供することを目的とする。
【課題を解決するための手段】
【０００６】
前記従来の課題を解決するために、本発明のタイマー装置は、個々に設定可能な複数のタイマー手段と、表示手段とを備え、前記表示手段は前記複数のタイマー手段の設定状態をタイマー手段の数の同心円弧、同心楕円弧または同心多角形上に表示し、前記複数の同心円弧、同心楕円弧または同心多角形の間の表示状態を前記複数のタイマーの設定状態により変更することを特徴とする。
【０００７】
これによって、個々に時刻設定された複数のタイマー手段の設定内容は、表示手段においてタイマー手段の数の同心円弧、同心楕円弧または同心多角形上に表示され、それぞれの図形の間はタイマーの設定状態により変更されるので、点の密度の低い表示手段を用いた場合でもわかりやすい表示ができ、設定内容を容易に認識できる。
【発明の効果】
【０００８】
本発明のタイマー手段は、点の密度の低い表示手段を用いた場合でも判りやすい表示ができるので、設定内容を容易に認識することができる。
【発明を実施するための最良の形態】
【０００９】
第１の発明は、個々に設定可能な複数のタイマー手段と、表示手段とを備え、前記表示手段は前記複数のタイマー手段の設定状態をタイマー手段の数の同心円弧、同心楕円弧または同心多角形上に表示し、前記複数の同心円弧、同心楕円弧または同心多角形の間の表示状態を前記複数のタイマーの設定状態により変更することにより、個々に時刻設定された複数のタイマー手段の設定内容は、表示手段においてタイマー手段の数の同心円弧、同心楕円弧または同心多角形上に表示され、それぞれの図形の間はタイマーの設定状態により変更されるので、点の密度の低い表示手段を用いた場合でもわかりやすい表示ができ、設定内容を容易に認識できる。
【００１０】
第２の発明は、第１の発明の発明において、設定状態により変更されるのは表示色または表示パターンであることにより、表示手段においてタイマー手段の数の同心円弧、同心楕円弧または同心多角形上に表示され、それぞれの図形の間はタイマーの設定状態により表示色または表示パターンで表示されるので、点の密度の低い表示手段を用いた場合でもわかりやすい表示ができ、設定内容を容易に認識できる。
【００１１】
第３の発明は、第２の発明のタイマー手段の設定状態がタイマー毎に異なる表示色で表示され、各タイマー間の表示色を隣り合うタイマーの２つの表示色の中間色とすることにより、表示手段においてここのタイマーの設定状態がタイマー毎に異なる色でタイマー手段の数の同心円弧、同心楕円弧または同心多角形上に表示され、それぞれの図形の間は隣あう２つのタイマーの表示色の中間色で表示されるので、どちらか一方を強調することなく表示することができ、点の密度の低い表示手段を用いた場合でもわかりやすい表示ができ、設定内容を容易に認識できる。
【００１２】
第４の発明は、第２の発明のタイマー手段の設定状態はタイマー毎に異なる表示パターンで表示され、各タイマー間の表示パターンを隣り合うタイマーの２つの表示パターンの中間のパターンとすることにより、表示手段においてここのタイマーの設定状態がタイマー毎に異なる色でタイマー手段の数の同心円弧、同心楕円弧または同心多角形上に表示され、それぞれの図形の間は隣あう２つのタイマーの表示色の中間パターンで表示されるので、点の密度の低い表示手段を用いた場合でもわかりやすい表示ができ、設定内容を容易に認識できる。
【００１３】
第５の発明は、第２の発明の複数のタイマー手段のうち有効とするタイマーを選択する有効タイマー選択手段を持ち、表示手段は前記有効タイマー選択手段により選択されたタイマーと、選択されてないタイマーとを区別可能に表示するとともに、各タイマー間の表示色または表示パターンを隣り合うタイマーの２つの選択状態に応じて変更することにより、個々に設定された複数のタイマー手段の選択、非選択の設定内容に応じて、表示手段において表示されるタイマー手段の数の同心円弧、同心楕円弧または同心多角形のそれぞれの図形の間の表示色または表示パターンをタイマーの選択、非選択の設定状態により変更するので、表示する点の密度の低い表示手段を用いた場合でもタイマーの選択、非選択とタイマーの設定状態の複雑な組み合わせ内容をわかりやすく表示することができ、設定内容を容易に認識できる。
【００１４】
第６の発明は、第５の発明において、表示手段上で隣り合う二つのタイマー手段のうちの一方が選択され、他方が選択されている場合に、前記複数のタイマー手段の間の表示色または表示パターンを、選択されているタイマーの選択時の表示色または表示パターンで表示することにより、隣り合うタイマーの間の表示を選択されているタイマーの表示色または表示パターンで表示するので、選択されたタイマーの表示領域を大きくし強調して表示することができ、表示する点の密度の低い表示手段を用いた場合でもタイマーの選択、非選択とタイマーの設定状態の複雑な組み合わせ内容をわかりやすく表示することができ、設定内容を容易に認識できる。
【００１５】
第７の発明は、第５の発明において、表示手段上で隣り合う二つのタイマー手段のうちの両方が選択されている場合に、前記複数のタイマー手段の間の表示色を、二つのタイマーの選択時の表示色の中間色で表示することにより、隣り合う二つのタイマーが選択状態の場合には隣り合うタイマーの表示色の中間色を表示して、どちらか一方を強調することなく表示できるので、点の密度の低い表示手段を用いた場合でもタイマーの選択、非選択とタイマーの設定状態の複雑な組み合わせ内容をわかりやすく表示することができ、設定内容を容易に認識できる。
【００１６】
第８の発明は、第５の発明において、表示手段上で隣り合う二つのタイマー手段のうちの両方とも選択されてない場合に、前記複数のタイマー手段の間の表示色は、二つのタイマーの非選択時の表示色の中間色を表示することにより、隣り合う二つのタイマーが非選択状態の場合には隣り合うタイマーの非選択時の表示色の中間色を表示して、どちらか一方を強調することなく表示できるので、点の密度の低い表示手段を用いた場合でもタイマーの選択、非選択とタイマーの設定状態の複雑な組み合わせ内容をわかりやすく表示することができ、設定内容を容易に認識できる。
【００１７】
第９の発明は、第１の発明または第８の発明の表示手段上で隣り合う二つのタイマー手段のうち同心円、同心楕円、または同心多角形のうち、中心に近い側の図形の表示幅を中心から遠い側の図形の表示幅より大きくすることにより、中心側にあり小さく表示される図形の表示幅を、中心より離れた側にありより大きく表示される図形の表示幅より大きくすることにより、表示領域のバランスが取ることができ、二つの表示を対等に行うことができる。
【００１８】
第１０の発明は、第１〜９のいずれかの発明のタイマー装置の少なくとも一部をコンピュータに実現させるためのプログラムおよびその記録媒体である。そして、プログラムであるのでＣＰＵ（マイコン）、ＲＡＭ、ＲＯＭ、記憶装置、Ｉ／Ｏなどを備えた電気情報機器、コンピュータ、サーバー等のハードリソースを協働させて本発明資源供給システムの少なくとも一部を容易に実現することができる。また記録媒体に記録したり通信回線を用いてプログラムを配信したりすることでプログラムの配布やインストール作業が簡単にできる。
【００１９】
以下本発明の実施の形態について、図面を参照しながら説明する。なお、この実施の形態によって本発明が限定されるものではない。
【００２０】
（実施の形態１）
本発明の実施の形態１のタイマー装置を図面とともに説明する。
【００２１】
実施の形態１のタイマー装置は温水床暖房機の床暖房リモコンに用いた例を示す。図１は本発明の実施の形態１の温水床暖房システムの全体ブロック図、図２〜６はシステムの構成要素毎の詳細ブロック図、図７はタイマー装置が搭載された床暖房リモコンの外観図、図８は床暖房リモコンのタイマー操作のフローチャート、図９は表示手段へのタイマー表示図である。１は台所に設置され温水温度の制御を行う台所リモコン、２は浴室に設置され温水温度の制御を行う浴室リモコン、３はカランやシャワーへの給湯やふろの沸き上げ、温水床暖房機への温水資源供給を行う熱源機、４は熱源機３から供給される温水により浴室を暖房する端末機器である浴室暖房機、５は熱源機３から供給される温水により部屋の床面を暖房する端末機器である温水床暖房器である。台所リモコン１と浴室リモコン２と熱源機３との間は熱源機制御通信手段１１により接続されて台所リモコン１及び浴室リモコン２から熱源機３の操作を行なう。浴室暖房機４は浴室を暖房する浴室暖房温水配管４ａと温水の供給を制御する浴室暖房リモコン４ｂとからなり、また、床暖房器５は床面に埋め込まれて配設される床暖房温水配管５ａと温水の供給を制御する床暖房リモコン５ｂとからなる。熱源機３と浴室暖房リモコン４ｂと床暖房リモコン５ｂとは機器通信手段１２により接続され、浴室暖房リモコン４ｂと床暖房リモコン５ｂの操作内容や熱源機３の運転状況などの通信を行い、また、熱源機３と浴室暖房温水配管４ａと床暖房温水配管５ａとは熱源機３が生成する温水を供給するための暖房温水配管２３で接続され、浴室暖房リモコン４ｂや床暖房リモコン５ｂの操作により熱源機３から温水を供給する。
【００２２】
また、台所リモコン１は、図２のように、台所リモコン１を制御する台所リモコン制御手段１ａ、台所リモコン１を操作する台所リモコン操作手段１ｂ、熱源機３の動作状況など必要な情報を表示する台所リモコン表示手段１ｃ、あらかじめ登録されたデーターや浴室リモコン２から受信したデータを記憶する台所リモコン記憶手段１ｄ、浴室リモコン２や熱源機３と通信して熱源機の制御を行なうための通信を行なう台所リモコン熱源機通信手段１ｅからなる。台所リモコン表示手段１は、正方格子状に並んだドットの一つ一つの色を制御して様々な表示を行うドットマトリックス液晶であり、ドットの分解能に応じて任意の文字や図形を表示できる。
【００２３】
また、浴室リモコン２は、図３のように、浴室リモコン２を制御する浴室リモコン制御手段２ａ、浴室リモコン２を操作する呼び出し手段である浴室リモコン操作手段２ｂ、熱源機３の動作状況など必要な情報を表示する浴室リモコン表示手段２ｃ、あらかじめ登録されたデーターや台所リモコン１から受信したデータを記憶する浴室リモコン記憶手段２ｄ、台所リモコン１や熱源機３と通信して熱源機の制御を行なうための通信を行なう浴室リモコン熱源機通信手段２ｅからなる。
【００２４】
また、熱源機３は、図４のように、熱源機３を制御する熱源機制御手段３ａ、台所リモコン１および浴室リモコン２と通信して操作情報の受信や運転状況の送信を行なう熱源機リモコン通信手段３ｂ、熱源機制御手段３ａの指示により温水を生成する熱交換器３ｃ、熱交換器の温水の流量を検出する流量センサ３ｄ、熱交換器３ｃの燃焼の有無を検出する燃焼センサ３ｅ、ふろの湯量を検出するふろ湯量センサ３ｆ、ふろの湯温を検出するふろ湯温センサ３ｇ、浴室暖房リモコン４ｂや床暖房リモコン５ｂと通信して操作情報の受信や運転状況の送信を行う熱源機機器通信手段３ｈ、給湯温水配管２１に接続しカランやシャワーなどに温水を給湯する給湯温水供給手段３ｉ、ふろ温水配管２２に接続しふろの湯沸しや追い炊きを行うふろ温水供給手段３ｊ、暖房温水配管１３に接続し浴室暖房機４や床暖房機５へ温水を供給する暖房温水供給手段３ｋとからなる。
【００２５】
また、浴室暖房機４は、図５のように、浴室暖房温水配管４ａと浴室暖房リモコン４ｂとからなり、浴室暖房温水配管４ａは暖房温水配管２３に接続されて温水を通すことにより床面を温める浴室暖房を行う。浴室暖房リモコン４ｂは、浴室暖房の機能を制御する浴室暖房制御手段４ｂａ、運転状況を表示する浴室暖房表示手段４ｂｂ、浴室暖房機能の操作を行う浴室暖房操作手段４ｂｃ、機器通信手段１２を通じて熱源機３との通信を行う浴室暖房機器通信手段４ｂｄとからなり、熱源機３に対して機器通信手段１２を通じて通信して制御情報を送信し、浴室暖房機４への温水の供給を制御する。
【００２６】
また、床暖房機５は、図６のように、床暖房温水配管５ａと床暖房リモコン５ｂとからなり、床暖房温水配管５ａは暖房温水配管２３に接続されて温水を通すことにより床面を温める床暖房を行う。床暖房リモコン５ｂは、床暖房の機能を制御する床暖房制御手段５ｂａ、あらかじめ設定された時刻に設定された内容に基づいて運転をＯＮしたりＯＦＦしたりする複数のタイマー手段である第１のタイマー手段５ｂｂａおよび第２のタイマー手段５ｂｂｂ、運転状況やタイマー設定状態等を表示する表示手段である床暖房表示手段５ｂｃ、床暖房機能の操作を行う床暖房操作手段５ｂｄ、機器通信手段１２を通じて熱源機３との通信を行う床暖房機器通信手段５ｂｅ、実時間を計時する現在時刻認知手段である計時手段５ｂｆ、床暖房操作手段５ｂｄから設定されたタイマーの設定時刻を記憶する床暖房記憶手段５ｂｇとからなり、さらに、床暖房操作手段５ｂｄは、図７のように、暖房運転のＯＮ／ＯＦＦを操作する運転ボタン５ｂｄａ、タイマー運転のＯＮ／ＯＦＦを操作するタイマー運転ボタン５ｂｄｂ、一回押すごとに暖房温度を増加させたり時刻を進める増加ボタン５ｂｄｃ、一回押すごとに暖房温度を減少させたり時刻を遅らせる減少ボタン５ｂｄｄ、二つのタイマー手段５ｂｃａ、５ｂｃｂのうち時刻設定を行うタイマーを選択する時刻設定タイマー選択手段５ｂｄｅ、切時刻と入時刻のうちどちらの時刻を設定するかを選択する切入時刻選択手段５ｂｄｆ、入力した時刻を確定する確定ボタン５ｂｄｇ、現在時刻を入力する際に用いる現在時刻ボタン５ｂｄｈとからなる。このうち、タイマー運転ボタンはボタンを押すたびにタイマー１と２の両方を動作させるタイマー１＋２モード、タイマー１単独で動作させるタイマー１モード、タイマー２を単独で動作させるタイマー２モード、タイマー運転をしないタイマー切を順次ローテーションで切り替える有効タイマー選択手段として動作する。また、床暖房表示手段５ｂｃには、現在時刻またはタイマー設定時刻を表示する時刻表示部５ｂｃａ、現在選択されているタイマーを表示する選択タイマー表示部５ｂｃｂ、二つのタイマーの設定時刻を一周で２４時間を表示し、外側をタイマー１、内側をタイマー２とする二重円上に示すタイマー設定時刻表示部５ｂｃｃ、タイマー設定時刻表示部に計時手段５ｂｆが計時した実時間を用いて現在時刻を示すためのバー表示を行う現在時刻表示手段５ｂｃｄ、床暖房の温度設定を表示する設定温度表示部５ｂｃｅとからなっている。また、床暖房機器通信手段５ｂｅは熱源機３に対して機器通信手段１２から通信して制御情報を送信し、床暖房機５への温水の供給を制御する。
【００２７】
以上の構成による作用を示す。
【００２８】
熱源機設置住宅の住人が台所で温水を利用する場合、まず台所リモコン操作手段１ｂの運転ボタン（図示せず）を押すと、台所リモコン熱源機通信手段１ｅから熱源機制御通信手段１１を通じて熱源機３へ伝達され、熱源機３は熱源機リモコン通信手段３ｂにより受信した運転ＯＮ指示の電文により熱源機制御手段３ａが熱源機の運転をＯＮする。この状態で、台所の給湯温水のカラン（図示せず）を開くと熱源機の温水給湯配管２１が開き熱源機の給湯温水路に上水道から供給された水が流れ、給湯温水配管２１に設置された流量センサ３ｄが給湯温水配管２１の水流を検出して熱交換器を点火し燃焼による給湯用温水の生成を開始する。熱交換器の燃焼は燃焼センサ３ｅにより検出され、燃焼中であるという情報が熱源機リモコン通信手段３ｂから熱源機制御通信手段１１により台所リモコン１と浴室リモコン２とに送信され、台所リモコン１と浴室リモコン２では台所リモコン熱源機通信手段１ｅ、浴室リモコン熱源機通信手段２ｅが受信したデータに基づき、台所リモコン表示手段１ｃ、浴室リモコン表示手段２ｃに燃焼マークを表示して、熱源機３の給湯燃焼を報知する。熱交換器３ｃで生成された給湯温水は給湯温水配管２１を経て台所のカランから流出する。カランを閉じると、給湯温水配管２１と熱源機３の給湯温水配管２１の水流が停止し、流量センサ３ｄが水流の停止を検出し、熱交換器３ｃを消火し給湯温水の生成を停止する。燃焼が停止したことを燃焼センサ３ｅが検出すると、燃焼中でないという情報が熱源機リモコン通信手段３ｂから熱源機制御通信手段１１により台所リモコン１と浴室リモコン２に送信され、台所リモコン１と浴室リモコン２では台所リモコン熱源機通信手段１ｅ、浴室リモコン熱源機通信手段２ｅが受信したデータに基づき、台所リモコン表示手段１ｃ、浴室リモコン表示手段２ｃに表示されている燃焼マークを消去し、燃焼中でないことを明示する。
【００２９】
一方、ふろを沸かす場合では、台所リモコン操作手段１ｂのふろ自動ボタン（図示せず）を押すと、ふろ自動運転を開始する。ふろ自動ボタンを押してふろ自動を運転ＯＮさせる指示は、台所リモコン熱源機通信手段１ｅから熱源機制御通信手段１１を通じて熱源機３へ伝達され、熱源機３は熱源機リモコン通信手段３ｂにより受信したふろ自動ＯＮ指示の電文により熱源機制御手段３ａが熱源機のふろ自動運転を開始する。ふろ自動では、ふろの残り湯の状況に応じて水量が設定水量に足りない場合は給湯温水供給手段３ｉからふろ温水配管２２へ温水を供給しながらあらかじめ設定された水量のお湯を張り、ふろ温水供給手段３ｊにより温水を循環させてふろ湯温をあらかじめ設定された温度に調整し、あらかじめ設定された水量と湯温に到達するとお湯張りが完了して保温へ移行する。保温では、ふろ湯温センサ３ｇにより湯温の低下を検出するとふろのお湯をふろ温水配管２２からふろ温水供給手段３ｊを通じて熱交換器３ｃへ導いて循環させ湯温を上げる追い炊きを行ない、設定された湯温に戻すという動作を繰り返し、あらかじめ設定された保温時間の間、この動作を継続する。このような熱源機３の動作内容は熱源機制御通信手段１１により熱源機３から台所リモコン１および浴室リモコン２へ送信され、台所リモコン１と浴室リモコン２では台所リモコン熱源機通信手段１ｅ、浴室リモコン熱源機通信手段２ｅが受信したデータに基づき、熱源機３の運転状況に応じた表示を台所リモコン表示手段１ｃ、浴室リモコン表示手段２ｃに行なう。
【００３０】
カランから出湯するお湯の温度、ふろ自動で用いるお湯張り水量、温度はあらかじめ台所リモコン１または浴室リモコン２の各リモコン操作手段により入力されて熱源機制御通信手段１１を通じて熱源機３へ送信され、熱源機記憶手段３ｌにより設定値を記憶する。浴室リモコン２または台所リモコン１で設定されるたびに熱源機３に送信され、新しい設定値が送信されるたびに設定値を入れ替える。
【００３１】
また、浴室暖房リモコン４ｂから浴室暖房機４を操作する場合には、浴室暖房操作手段４ｂｃを操作して運転を開始すると、運転開始の情報が浴室暖房機器通信手段４ｂｄにより熱源機３に伝達され、熱源機３では熱源機機器通信手段３ｈが受信した電文に基づいて暖房温水供給手段３ｋを動作させて暖房温水配管２３を経て浴室暖房温水配管４ａへ温水を供給する。運転の状況は浴室暖房表示手段４ｂｂへ表示され、浴室暖房の運転状況を確認できる。
【００３２】
また、床暖房リモコン５ｂから床暖房機５を操作する場合には、床暖房操作手段５ｂｄを操作して運転を開始すると、運転開始の情報が床暖房機器通信手段５ｂｅにより熱源機３に伝達され、熱源機３では熱源機機器通信手段３ｈが受信した電文に基づいて暖房温水供給手段３ｋを動作させて暖房温水配管２３を経て床暖房温水配管５ａへ温水を供給する。運転の状況は床暖房表示手段５ｂｃへ表示され、床暖の運転状況を確認できる。
【００３３】
本実施の形態の床暖リモコン５ｂは、第１のタイマー手段５ｂｂａと第２のタイマー手段５ｂｂｂとの２つのタイマー手段を持ち、有効タイマー選択手段の機能を持つタイマー運転ボタンの操作でタイマー１単独、タイマー２単独、タイマー１とタイマー２の組み合わせでタイマー運転を行うことができる。また、二つのタイマーがそれぞれ個別に、運転入から切とする切時刻のみを設定する切タイマーモード、運転切から入とする入時刻のみを設定する入タイマーモード、入時刻と切時刻の両方を設定する切／入タイマーモードの３つのモードを持っており、これらの３つのモードを持つ２つのタイマーを単独または組み合わせてタイマー設定を行うことにより様々なタイマー設定が可能になっている。例えば、第１のタイマーを入時刻６時、切時刻９時の切／入タイマーモード、第２のタイマーを入時刻７時、切時刻２３時の切／入タイマーモードに設定してタイマー１＋２モードでタイマー運転させると、朝６時の起床時から９時の外出時までと夕方７時の帰宅時から２３時の就寝時までの運転を行い、１日の生活パターンに合わせた運転を自動で行うことができる。また、第１のタイマーを入時刻５時半、切時刻設定なしの入タイマーモード、第二のタイマーを入時刻７時、切時刻設定なしの入タイマーモードに設定しておき、平日は早めに起きるので入時刻の早いタイマー１の単独運転のタイマー１モードとしておき、土日は朝もゆっくり寝ているので入時刻の遅いタイマー２の単独運転であるタイマー２モードにタイマー運転ボタンを用いて切り替えるだけで、一週間の曜日ごとの生活時間の変化に合わせて簡単にタイマー設定を変更できる。このような使用方法により、寝ている時間に運転させてしまい無駄なエネルギーを使ってしまったり、逆に平日など早く起きる日に入時刻より早く目覚めて寒い思いをすることがなく、使用者の様々な生活習慣に適合させたタイマー運転を実現できる。
【００３４】
このような複雑なタイマー機能を床暖房操作手段５ｂｄを用いて操作するフローチャートを図８に示す。なお、この図では、各処理が終わったり、記載されてないボタンを押すと初期状態１００に戻る。まず、初期状態１００から床暖房操作手段５ｂｄのいずれかのボタンが押下される１０１と、各ボタンがそれぞれ初期に割り当てられた操作を行う。運転ボタン５ｂｄａが押下されると運転の切／入を切替を行い初期状態に戻る（１０２）。タイマーボタン５ｂｄｂが押下されるとその度にタイマー１＋２モード、タイマー１モード、タイマー２モード、タイマー切の間でローテンションでタイマーが選択され、選択された状態でタイマー運転を開始し初期状態に戻る（１０３）。増加ボタン５ｂｄｃを押下すると設定温度を増加させ（１０５）、減少ボタン５ｂｄｄを押下すると設定温度を減少させる（１０６）。また、現在時刻ボタン５ｂｄｈを押下すると、次のボタン押下を待ち（１０７）、増加ボタンを押すと現在時刻を進め（１１３）、減少ボタン５ｂｄｄを押すと現在時刻を戻し（１１４）再び１０７に戻る。確定ボタン５ｂｄｇが押下されると現在時刻を変更した時刻に確定（１１５）して初期状態に戻る。また、１００でタイマー選択ボタン５ｂｄｅを押下するとタイマー時刻設定を始めボタンの押下を待つ（１０４）。ここで、増加ボタン５ｂｄｃを押下するとタイマー１の入時刻を進め（１０８）、減少ボタン５ｂｄｄを押下するとタイマー１の入時刻を遅らせ（１０９）、１０４に戻り、確定ボタン５ｂｄｇ押下でタイマー１の入時刻を確定（１１０）し１００に戻る。１０４で切／入選択ボタン５ｂｄｆを押すとタイマー１の切時刻の設定となってボタンの押下を待ち（１１１）、増加ボタン５ｂｄｃを押下するとタイマー１の切時刻を進め（１１６）、減少ボタン５ｂｄｄを押下するとタイマー１の切時刻を遅らせて（１１７）、１１１へ戻り、確定ボタン５ｂｄｇ押下でタイマー１の切時刻を確定（１１８）し１００に戻る。１０４でタイマー選択ボタン５ｂｄｅを押下するとタイマー２の時刻設定となってボタンの押下を待ち（１１２）、増加ボタン５ｂｄｃを押下するとタイマー２の入時刻を進め（１１９）、減少ボタン５ｂｄｄを押下するとタイマー２の入時刻を遅らせ（１２０）１１２に戻り、確定ボタン５ｂｄｇ押下でタイマー２の入時刻を確定（１２１）し１００に戻る。１１２で切／入選択ボタン５ｂｄｆを押下するとタイマー２の切時刻の設定となってボタンの押下を待ち（１１８）、増加ボタン５ｂｄｃを押下するとタイマー２の切時刻を進め（１２３）、減少ボタン５ｂｄｄを押下するとタイマー２の切時刻を遅らせ（１２４）、１１８に戻り、確定ボタン５ｂｄｇ押下でタイマー２切時刻を確定（１２５）し１００に戻る。なお、切／入タイマーモード、切タイマーモード、入タイマーモードの切替は、入タイマまたは切タイマの解除操作により残った不要なタイマを解除することによって行う。設定されたタイマーを解除して切／入タイマーモードから切タイマーモードまたは入タイマーモードに変更したりする場合は、増加ボタンまたは減少ボタンを押して設定時刻を変更する時に、設定時刻に−−：−−が表示されたとき確定ボタンを押すと現在設定中の切時刻または入時刻が解除されるようになっている。このような操作により、二つのタイマーの入り時刻と切時刻の設定が行えるようになっている。
【００３５】
このようなそれぞれが切タイマーモード、入タイマーモード、切／入タイマーモードの切時刻、入時刻による３種類のモードと持つ二つのタイマーを用い、さらに、タイマー１モード、タイマー２モード、タイマ１＋３モードでタイマー運転を選択できるようになっているが、機能が多く複雑で現在の設定状況を直感的に即座に把握させるような表示の実現は困難であった。本実施の形態では、このような複雑な設定を分かりやすく表示させるため、図７に示すように、床暖房表示手段５ｂｃに２つの同心円を表示し、２つのタイマー設定をこれら二つの同心円上に扇形で表示する。第１のタイマーは外側の同心円、第２のタイマーは内側の同心円である。円は一周２４時間で上が０時、下が１２時を示し、同心円上の扇形の表示は中心同一角度が同一時間となる。なお、同心円の幅は外側に表示される第１のタイマーより内側に表示される第２のタイマーの方が太く設定されている。これは、内側の同心円の方が半径が短く幅が同一であれば表示面積が外側のタイマーより小さくなってしまうため、色により区別可能に表示させた場合に面積の広い外側の円の方が強調されやすくなり内側の動作を印象付けることが難しくなると言う課題があった。そこで、内側の同心円の面積が大きくなるように外側の同心円より幅を広くすることにより面積の差を少なくし、両者を同等に感じさせるようにしている。なお、内側の同心円と外側の同心円の面積を同じにする必要は無い。切／入タイマーの表示は、図７に示すように、入時刻から時計回りで切時刻までのタイマー入期間をタイマー１は濃い緑、タイマー２は濃い青それ以外のタイマー切期間をタイマー１は薄い緑、タイマー２は薄い青で表示し、入時刻から切時刻までの運転される時間と、その逆の運転されない時間とをそれぞれ明確に区別できるように表示している。
【００３６】
ここで、第１のタイマーと第２のタイマーとは互いに一定の太さの境界線で分離されている。画面が詳細に表示できるものであれば、それぞれのタイマーで別々に縁取りの線を持ち、その間に背景と同じ境界部分を表示すればよいが、一般に詳細な表現のできる表示ディバイスほど製造上の制約が大きく、製造時の歩留まりが低くなってしまうため高価になる。本実施の形態の台所リモコン表示手段１ｃに使用しているドットマトリックス液晶も詳細な表現を可能とするためにはより解像度の高い液晶を使用する必要があり、解像度と表現力の整合を取り、わかりやすい表現を安価に実現する方法が求められている。そこで、本実施の形態のタイマー装置では、タイマ１とタイマー２の境界と各同心円の縁取りを１本の境界線に統合し、この境界線の表示色を適切に設定することにより、より詳細な表示手段を用いるのと同様なわかりやすい表現を可能にできる。本実施の形態では、タイマー１の緑、タイマー２の青であるので、適切な表示色として両者の中間色である青緑色を用いて境界線を描画している。
【００３７】
また、本実施の形態では、タイマー運転に選択されているタイマー設定がタイマー１モード、タイマー２モード、タイマー１＋２モードのいずれであるかを明確にするために、表示手段の『タイマー１』および『タイマー２』の文字による表示を用いているが、さらに、選択されたタイマーモードの表示を床暖房表示手段５ｂｃに表示された二重円上にタイマー設定時刻の色を濃く輪郭を強調し、選択されてないタイマーの表示色を灰色にして設定状態を視覚的に分かりやすく表示している。ただし、タイマー１とタイマー２の間の境界線は、それぞれの輪郭線の意味を持つため、輪郭を強調するために、タイマーの設定状態に応じて表示色を変化させることによって輪郭を強調する効果を出している。すなわち、タイマー１モードの場合は、タイマー１がＯＮ、タイマー２がＯＦＦなので、図９（ａ）に示すように、タイマー１タイマー１の入時間の領域の表示色である濃い緑色で表示し、また、タイマー２モードの場合はタイマー１がＯＦＦ、タイマー２がＯＮなので、図９（ｂ）に示すように、タイマー２の入時間の領域の表示色である濃い青色で表示し、タイマー１＋２モードのときはタイマー１とタイマー２がともにＯＮなので、図９（ｃ）に示すように、タイマー１の入時間の領域の表示色とタイマー２のいり時刻の表示色の中間色である青緑色で表示し、そして、タイマー１とタイマーがともにＯＦＦの場合は、タイマー１、タイマー２ともに灰色で表示されるので、図９（ｄ）に示すように、輪郭も濃い灰色に変更して表示する。このようにタイマーの設定状態に合わせて境界線の色を変更するので、様々に変化する設定状態をより詳細な表示手段を用いるのと同様なわかりやすい表現で表示することができる。また、タイマー１＋２モードの場合はタイマー１とタイマー２の中間色を表示するので、両方のタイマーを同等に表示することができる。さらに、タイマー１モードのときはタイマー１の色を表示し、タイマー２モードのときはタイマー２の色にするので、境界線の色を変えるだけで隣り合って表示される二つのタイマーのうち有効なタイマーを強調して表示することができる。図９に示すように、本実施の形態の表示手段におけるタイマーの表示では、簡単な表示で、どのタイマーが選択され、さらにどのような時刻でどのようなタイマー運転をするのかが明確になっており、解像度の低い表示手段を用いる場合でも明確な表現ができる。
【００３８】
さらに、本実施の形態では、選択されたタイマーを強調して表示する手法を、タイマーの時刻を変更する場合に現在タイマー１とタイマー２のどちらのタイマーの設定を変更しているのかを明確にするためにも用いている。これは、タイマー時刻を変更する際に現在の設定状態や、他方の設定状態を確認しながら設定を変更することができるので、二つのタイマーを使用するタイマー設定が簡単に行える。ここでも、タイマー１とタイマー２の境界線の色を変えることによって、解像度の低い表示手段を用いる場合でもわかりやすい表現を可能にできる。
【００３９】
また、本実施の形態では、タイマー設定状況を示す二重円に合わせて現在時刻を示す現在時刻表示手段５ｂｃｄを表示しており、これからタイマー運転を行う場合に次にいつどういう動作が行われるかを直感的に認識できる。また、タイマー設定を行うときにも現在時刻を確認しながら行えるので、タイマーの時刻設定を行う際に参考にできる。
【００４０】
なお、上記実施の形態では、タイマー１とタイマー２の境界線の表示色をタイマーの設定状態により変化させたが、表示色ではなく、表示パターンとしてもよい。表示色を用いた場合では、色弱の人では正しく認識できない場合があるため、よりユーザーフレンドリーとなる表示を行うために、ハッチングや斜線など領域を模様で埋める方法が取られる場合がある。この場合、より詳細な表示が必要となるために、表示手段の解像度を高める必要があり、本発明のように、境界部分を単一の表現を行うことによって表示手段の解像度を超える表現をすることによって、タイマー１とタイマー２が隣接する部分に別々に輪郭を表示する場合より低い解像度の表示手段を用いてわかりやすく効果的な表現が可能になるといった効果がある。また、パターンを用いることにより複数の色で表示するカラー液晶を用いることなく白黒など２色表示の表示手段でも細かな表現ができるので、単純で安価な表示手段を用いてわかりやすく効果的な表現ができる。
【００４１】
なお、本実施の形態のタイマー装置ではタイマー手段を二つ用いた例を示しているが、２つに限定するものではなく、３つ、また４つなどより多くのタイマー手段を用いるタイマー装置においても適用できる。
【００４２】
また、本実施の形態のタイマー装置では、表示手段に表示するタイマーを二重円を用いて視覚的に表示しているが、同心で複数の掃除の図形が表示されるのであれば、真円でも、楕円でもよく、四角形や六角形などの多角形でもよい。なお、同心の図形を位置を半径方向をずらして表示しているが、複数のタイマの設定状態を示す複数の図形の心は厳密にあわせる必要はなく、視覚的に違和感のない程度で十分である。
【００４３】
また、本実施の形態のタイマー装置では、現在時刻認知手段として計時手段を持ち現在時刻を計時して表示手段に現在時刻を表示するが、現在時刻はタイマー装置が計時するものに限定するものではなく、例えば、熱源機が計時している現在時刻を熱源機制御通信手段を介して取得することによって認知するといった構成としてもよい。
【００４４】
また、本実施の形態のタイマー装置は、給湯暖房システムの床暖房機に用いた例を記述しているが、これに限らず家電製品や設備製品など複数のタイマーを使用して運転するものであれば、いかなるものにも適用できる。ただし、温水床暖房機には運転開始から部屋が暖かくなるまでには１０〜２０分のタイムラグが発生してしまうという欠点があり、この欠点を補うためにタイマー運転が多く利用されており、生活のパターンに合わせて様々な設定が行われる。したがって、温水床暖房機に使用する場合には、複数のタイマーの設定内容が直感的に分かりやすく、設定しやすいという特徴を持つ本発明のタイマー装置は特に有効である。
【産業上の利用可能性】
【００４５】
以上のように、本発明によれば、複数のタイマー手段のそれぞれの設定内容を一度に判りやすく確認できるので、設定内容を容易に認識することができ、家電製品や設備製品など複数のタイマーを使用して運転するものであれば、いかなるものにも適用できる。
【図面の簡単な説明】
【００４６】
【図１】本発明の実施の形態１におけるタイマー手段を用いた温水給湯暖房システムの構成図
【図２】同システムの台所リモコンの構成図
【図３】同システムの浴室リモコンの構成図
【図４】同システムの熱源機の構成図
【図５】（ａ）同システムの浴室暖房機リモコンの構成図（ｂ）同システムの浴室暖房機の構成図
【図６】（ａ）同システムの床暖房機の床暖房リモコンの構成図（ｂ）同システムの床暖房機の構成図
【図７】同システムの床暖房機リモコンの外観図
【図８】同システムの床暖房機の操作フローチャート
【図９】（ａ）同システムのタイマー手段のタイマー１モードにおける切タイマーおよび入タイマーの表示図（ｂ）同システムのタイマー手段のタイマー２モードにおける切タイマーおよび入タイマーの表示図（ｃ）同システムのタイマー手段のタイマー１＋２モードにおける切タイマーおよび入タイマーの表示図（ｄ）同システムのタイマー手段のタイマーＯＦＦモードにおける切タイマーおよび入タイマーの表示図
【図１０】従来のタイマー手段を用いた給湯暖房機における床暖房リモコンの外観図
【図１１】従来のタイマー手段を用いた床暖房リモコンの表示手段の表示図
【図１２】従来のタイマー手段を用いた床暖房リモコンの表示手段の表示図
【符号の説明】
【００４７】
５ｂｂａ  第１のタイマー手段（複数のタイマー手段）
５ｂｂｂ  第２のタイマー手段（複数のタイマー手段）
５ｂｃ  床暖房表示手段（表示手段）
５ｂｃｂ  選択タイマー表示部
５ｂｃｃ  タイマー設定時刻表示部
５ｂｃｄ  現在時刻表示手段
５ｂｄｂ  タイマー運転ボタン（有効タイマー選択手段）
５ｂｄｅ  時刻設定タイマー選択手段
５ｂｆ  計時手段（現在時刻認知手段）
【図１】
2005315689.tif 000003
【図２】
2005315689.tif 000004
【図３】
2005315689.tif 000005
【図４】
2005315689.tif 000006
【図５】
2005315689.tif 000007
【図６】
2005315689.tif 000008
【図７】
2005315689.tif 000009
【図８】
2005315689.tif 000010
【図９】
2005315689.tif 000011
【図１０】
2005315689.tif 000012
【図１１】
2005315689.tif 000013
【図１２】
2005315689.tif 000014